(57)【要約】  スペクトル拡散通信システムにおけるセル探索が未検出の近隣セルの拡散符号を決定するステップと、受信信号を未検出の近隣セルのスクランブリング符号を使用して既に検出されたセルのパス遅延位置で逆拡散するステップと、により行われる。未検出近隣セルはスペクトラム拡散通信システムのネットワークから受信される近隣リストを利用して識別される。パス探索器は受信信号を未検出の近隣セルのスクランブリング符号を使用して既に検出されたセルのパス遅延位置で逆拡散するステップを行うように使用される。この動作と並行して、セル探索器がパス・マスクされたセル探索手順を行うように使用される。
2009509433.tif 000002
【特許請求の範囲】
【請求項１】
スペクトル拡散通信システムにおいてセル探索を行う方法であって、
未検出の近隣セルの拡散符号を決定するステップと、
既に検出されたセルのパス遅延位置で前記未検出の近隣セルのスクランブリング符号を使用して受信信号を逆拡散するステップと、
を備えることを特徴とする方法。
【請求項２】
前記スペクトラム拡散通信システムのネットワークから近隣リストを受信するステップと、
前記未検出の近隣セルを識別するために前記近隣リストを使用するステップと、
を備えることを特徴とする請求項１に記載の方法。
【請求項３】
パス・マスクされたセル探索手順を並行して実行するステップを備えることを特徴とする請求項１に記載の方法。
【請求項４】
前記パス・マスクされたセル探索手順を実行するためにセル探索器を使用するステップと、
既に検出されたセルのパス遅延位置で前記未検出の近隣セルのスクランブリング符号を使用して受信信号を逆拡散する前記ステップを実行するためにパス探索器を使用するステップと、
を備えることを特徴とする請求項３に記載の方法。
【請求項５】
既に検出されたセルのパス遅延位置で前記未検出の近隣セルのスクランブリング符号を使用して受信信号を逆拡散する前記ステップは、既に検出されたセルの全てのパス遅延位置で前記未検出の近隣セルの前記スクランブリング符号を使用して前記受信信号を逆拡散するステップを備えることを特徴とする請求項１に記載の方法。
【請求項６】
前記既に検出されたセルの前記パス遅延位置は、前記既に検出されたセルの既知のスロット・タイミングからのオフセットであることを特徴とする請求項１に記載の方法。
【請求項７】
前記既に検出されたセルの前記パス遅延位置は、前記既に検出されたセルの既知のフレーム・タイミングからのオフセットであることを特徴とする請求項１に記載の方法。
【請求項８】
既に検出されたセルのパス遅延位置で前記未検出の近隣セルのスクランブリング符号を使用して受信信号を逆拡散する前記ステップは、
複数のスロットの各々において前記既に検出されたセルのパス遅延位置で前記未検出の近隣セルの前記スクランブリング符号を使用して前記受信信号を逆拡散することにより複数の相関結果を生成するステップと、
前記相関結果を積算するステップと、
を備えることを特徴とする請求項１に記載の方法。
【請求項９】
スペクトル拡散通信システムにおいてセル探索を行う装置であって、
未検出の近隣セルの拡散符号を決定するように構成されたロジックと、
既に検出されたセルのパス遅延位置で前記未検出の近隣セルのスクランブリング符号を使用して受信信号を逆拡散するように構成されたロジックと、
を備えることを特徴とする装置。
【請求項１０】
前記スペクトラム拡散通信システムのネットワークから近隣リストを受信するように構成されたロジックと、
前記未検出の近隣セルを識別するために前記近隣リストを使用するように構成されたロジックと、
を備えることを特徴とする請求項９に記載の装置。
【請求項１１】
パス・マスクされたセル探索手順を並行して実行するように構成されたロジックを備えることを特徴とする請求項９に記載の装置。
【請求項１２】
前記パス・マスクされたセル探索手順を実行するためのセル探索器と、
既に検出されたセルのパス遅延位置で前記未検出の近隣セルのスクランブリング符号を使用して受信信号を逆拡散するように構成された前記ロジックを備えるパス探索器と、
を備えることを特徴とする請求項１１に記載の装置。
【請求項１３】
既に検出されたセルのパス遅延位置で前記未検出の近隣セルのスクランブリング符号を使用して受信信号を逆拡散するように構成された前記ロジックは、既に検出されたセルの全てのパス遅延位置で前記未検出の近隣セルの前記スクランブリング符号を使用して前記受信信号を逆拡散するように構成されたロジックの一部であることを特徴とする請求項９に記載の装置。
【請求項１４】
前記既に検出されたセルの前記パス遅延位置は、前記既に検出されたセルの既知のスロット・タイミングからのオフセットであることを特徴とする請求項９に記載の装置。
【請求項１５】
前記既に検出されたセルの前記パス遅延位置は、前記既に検出されたセルの既知のフレーム・タイミングからのオフセットであることを特徴とする請求項９に記載の装置。
【請求項１６】
既に検出されたセルのパス遅延位置で前記未検出の近隣セルのスクランブリング符号を使用して受信信号を逆拡散するように構成された前記ロジックは、
複数のスロットの各々において前記既に検出されたセルのパス遅延位置で前記未検出の近隣セルの前記スクランブリング符号を使用して前記受信信号を逆拡散することにより複数の相関結果を生成するように構成されたロジックと、
前記相関結果を積算するように構成されたロジックと、
を備えることを特徴とする請求項９に記載の装置。
【発明の詳細な説明】
【技術分野】
【０００１】
本発明は通信システムに関するものであり、さらに詳しくは移動通信システムにおけるセル探索に関するものである。
【背景技術】
【０００２】
デジタル通信システムには、時分割多元接続（ＴＤＭＡ）システム、たとえばＧＳＭ電気通信標準およびＧＳＭ／ＥＤＧＥのような機能強化に準拠するセルラー方式無線電話システム、および符号分割多元接続（ＣＤＭＡ）システム、たとえばＩＳ−９５、ｃｄｍａ２０００、および広帯域ＣＤＭＡ（ＷＣＤＭＡ）電気通信標準に準拠するセルラー方式無線電話システムを含む。デジタル通信システムはまた、ＴＤＭＡおよびＣＤＭＡが“ブレンドされた”システム、たとえば、国際電気通信連合（ＩＴＵ）のＩＭＴ２０００フレームワークの中で欧州電気通信標準化機構（ＥＴＳＩ）により開発されている第３世代（３Ｇ）携帯電話システムであるユニバーサル移動通信システム（ＵＭＴＳ）標準に準拠するセルラー方式無線電話システムを含む。第３世代パートナーシップ・プロジェクト（３ＧＰＰ）がＵＭＴＳ標準を公布している。本出願は、説明を節約するためにＷＣＤＭＡシステムに焦点を合わせているが、しかし当然のことながら、本出願で説明されている原理は他のデジタル通信システムに実装され得る。
【０００３】
ＷＣＤＭＡは、直接拡散スペクトル拡散技術に基づいており、下りリンク（基地局からユーザ装置へ）の方向で、それぞれ基地局と物理チャネル（ユーザ装置またはユーザ）を区別する擬似雑音スクランブリング符号および直交チャネライゼーション符号を有する。ユーザ装置（ＵＥ）はたとえば個別の専用物理チャネル（ＤＰＣＨ）を通してシステムと通信する。本明細書ではＷＣＤＭＡにおける用語が使用されているが、しかし当然のことながら、他のシステムは対応する用語を有している。スクランブリングおよびチャネライゼーション符号および送信電力制御は、当技術分野で周知である。
【０００４】
図１はセルラー方式移動無線通信システム１００を描いており、たとえばＣＤＭＡまたはＷＣＤＭＡ通信システムである。無線ネットワーク制御装置（ＲＮＣ）１１２、１１４は、たとえば無線アクセス・ベアラ設定、ダイバーシティ・ハンドオーバなどを含む様々な無線ネットワーク機能を制御する。さらに一般的には、各々のＲＮＣはＵＥの呼に適切な１以上の基地局（ＢＳ）を経由して指示し、それらはお互いに下りリンク（すなわち基地局からＵＥ（フォワード））および上りリンク（すなわちＵＥから基地局（リバース））のチャネルを通して通信する。ＲＮＣ１１２はＢＳ１１６、１１８、１２０と連結されて示されており、そしてＲＮＣ１１４はＢＳ１２２、１２４、１２６と連結されて示されている。各々のＢＳは１以上のセルに分割されることのできる地理的領域を在圏とする。ＢＳ１２６は５つのアンテナ・セクタＳ１からＳ５を有するように示されており、それらはＢＳ１２６のセルを形成しているといえる。ＢＳはそれらの対応するＲＮＣと専用電話回線、光ファイバ・リンク、マイクロ波リンクなどにより連結されている。両方のＲＮＣ１１２、１１４は公衆交換電話網（ＰＳＴＮ）、インターネットなどのような外部ネットワークと、移動交換局（図示されていない）および／またはパケット無線サービス・ノード（図示されていない）のような１つ以上のコア・ネットワーク・ノードを通して接続されている。図１では、ＵＥ１２８、１３０は複数の基地局と通信しているように示されている：ＵＥ１２８はＢＳ１１６、１１８、１２０と通信しており、そしてＵＥ１３０はＢＳ１２０、１２２と通信している。ＲＮＣ１１２、１１４間の制御リンクはＵＥ１３０へ／からのダイバーシティ通信をＢＳ１２０、１２２を経由して可能にしている。
【０００５】
ＵＥで、変調された搬送波信号（レイヤ１）は受信機に宛てられた元の情報データ・ストリームの推定を生成するように処理される。合成された受信ベースバンド拡散信号は通例、受信信号内で、選択された成分のそれぞれのもの、たとえばマルチパス反射波または異なる基地局からのストリームに各々割り当てられるいくつかの“フィンガ”、すなわち逆拡散器を有するＲＡＫＥプロセッサに供給される。各々のフィンガは受信成分とスクランブリング系列および適切なチャネライゼーション符号を組み合わせ、受信された合成信号の成分を逆拡散する。ＲＡＫＥプロセッサは通常合成信号に含まれる送られた情報データおよびパイロットすなわちトレーニング・シンボルの両方を逆拡散する。
【０００６】
図２は受信機２００、たとえばＷＣＤＭＡ通信システムにおけるＵＥのブロック図であり、それは無線信号をアンテナ２０１を通して受信し、そして受信信号をフロント・エンド・受信機（ＦｅＲＸ）２０３のなかでダウンコンバートし、サンプリングする。出力サンプルはＦｅＲＸ２０３からＲＡＫＥ合成器およびチャネル推定器２０５に送られ、パイロット・チャネルを含む受信データを逆拡散し、無線チャネルのインパルス応答を推定し、そして受信データの受信反射波および制御シンボルを逆拡散し、そして組み合わせる。受信信号を逆拡散するために、ＲＡＫＥ合成器およびチャネル推定器２０５は、受信信号が広まっていると思われる可能なパスのうち、いずれが最も強いものであるかを知る必要がある。これらの最も強いパス（受信機２００により信号の遅延受信として受け取られる）を識別するために、ＲＡＫＥ合成器およびチャネル推定器２０５はパス探索器２０７を含む。合成器／推定器２０５の出力はシンボル検出器２０９に供給され、特有の通信システムに相応しいようにさらに処理される情報を生成する。ＲＡＫＥ合成およびチャネル推定は当技術分野で周知である。受信機２００が、環境のなかで他にどのセルが存在するかについての情報を有し、そしてこの目的のためにＦｅＲＸ２０３からの信号を受信するために連結されたセル探索器２１１をまた含み、そしてセル探索動作の結果をＲＡＫＥ合成器およびチャネル推定器２０５に供給することは、また有益である。セル探索器２１１は以下でより詳細に説明される。
【０００７】
通信の基本的な態様は、受信機２００の受信信号の同期点を識別する、すなわち受信信号のなかで送信されたデータの開始点がどこにあるかを決定する機能である。ＷＣＤＭＡシステムでは、同期チャネル（ＳＣＨ）がこの目的のために使用される。図３はＳＣＨ３００の典型的な構造のタイミング図である。図３で示されているように、ＳＣＨ３００それ自身は、プライマリ同期チャネル（Ｐ−ＳＣＨ）およびセカンダリ同期チャネル（Ｓ−ＳＣＨ）を備える。フレームは、各々１０ミリ秒継続して、１５のスロットで構成されており、各々のスロットは２５６０チップ継続する。２５６チップの長さを有するバーストがＰ−ＳＣＨおよびＳ−ＳＣＨの各々で送信される。Ｐ−ＳＣＨバースト（“ａｃｐ”、ここで“ｃｐ”はプライマリ同期コードを表わし、そして“ａ”はＰ−ＣＣＰＣＨ上でのＳＴＴＤ符号化の存否を示す値±１を持つ）は、全てのスロットでおよび全てのセルで同一である。Ｓ−ＳＣＨバースト（ａｃｓｊ，ｋ、ここで“ｃｓ”はセカンダリ同期コードを表わし、“ａ”はＰ−ＣＣＰＣＨ上でのＳＴＴＤ符号化の存否を示す値±１を持ち、“ｊ”はシーケンス番号そして“ｋ”はスロット番号である）は、スロット毎に１６種類のセカンダリ同期コード（ＳＳＣ）系列（それ故ｊ∈｛０．．．１５｝）に基づいて変動し、そして１５のＳＳＣにより構造化される１つのフレームは１５シンボルの符号語として読み取られることができ、各々は６４からなる１つのコード群に対応する。
【０００８】
ＵＥが既に基地局と通信中であっても、ＵＥが他にどのセルが近くにあるかを検出することは（たとえばハンドオフの決定のために）重要である。セル探索手順の典型的な実施形態が図４のフローチャートに示されている。まず、Ｐ−ＳＣＨバースト（ａｃｐ）が全てのスロットでおよび全てのセルで同一であるので、スロット同期は受信信号をＰ−ＳＣＨに対するマッチド・フィルタまたは任意の同様なデバイスで処理することにより得られる（ステップ４０１）。より詳しくは、既知のプライマリ同期コードは受信信号に対してスロットの継続期間（たとえば、ＷＣＤＭＡでは少なくとも２５６０チップ以上）に及ぶ遅延値の値域にわたって相関性がある。このことが各々の検証される遅延に対して相関値を生成する。
【０００９】
上述のように、プライマリ同期コード（ａｃｐ）は送信されたフレームに含まれるタイム・スロットの各々に一度出現する。（ＷＣＤＭＡでは、各々のフレームは１５のタイム・スロットを有する）。性能を向上させる（たとえば、信号における短期フェージングの影響を軽減する）ために、この相関処理はいくつかの連続して受信されるタイム・スロットの各々に対して繰り返される。すなわち、タイム・スロットの継続期間がＴｓであると、そのとき各々の遅延値Ｔｄに対して、相関は位置Ｔｃｏｒｒ（ｎ）＝Ｔｄ＋ｎＴｓで行われ、ここでｎ＝０，．．．，Ｎｔｅｓｔ＿ｓｌｏｔｓ−１でＮｔｅｓｔ＿ｓｌｏｔｓは検証されるスロットの数である。たとえば、典型的なＷＣＤＭＡシステムでは、フレーム内にあることが知られている１５のタイム・スロットの各々に対して、少なくとも２５６０の検証相関を行う可能性がある。
【００１０】
各々の検証された遅延値に対して、得られた相関値はそれから積算される。最大の積算値が、その結果、あるセルに対するスロット境界と見なされる。
【００１１】
既に説明したように、各々のフレームが２つ以上のスロットを有するため、スロット境界を知ることだけでフレーム境界が何であるかをデバイスは知ることはない。それ故、スロット同期が一旦得られると、Ｓ−ＳＣＨがフレーム同期およびスクランブリング符号群を検出するために使用される（ステップ４０３）。これは得られたスロット・タイミングから始まる受信信号と全ての可能なＳ−ＳＣＨコード系列との相関を取ることにより達成される。対応するＳ−ＳＣＨコード系列がフレームの始まりと一致する場合、最も高い相関が得られ、それによってフレームの始まりおよびいずれのスクランブリング符号群が使用されているかの両方を識別する。
【００１２】
最後に、受信信号はちょうど識別されたコード群内の全てのコードとの相関が取られ（ステップ４０５）、いずれのコードが使用されたかを正確に識別する。ＷＣＤＭＡに対して説明されたそれらのような通信システム標準に従って、各々のセカンダリ同期コードは、それ自身、特定の一連のスクランブリング符号に関連している。スクランブリング符号は各々のフレーム内でフレーム境界から既知のオフセットに一度位置づけられる。このように、セル探索処理のこの段階で、セルに対するスクランブリング符号は、既知のセカンダリ同期コードと関連するスクランブリング符号の各々を、受信信号に対してフレーム境界から既知のオフセットで相関を取ることにより見出される。最も高い相関性を有するスクランブリング符号が、その結果“探索された”セルに対するスクランブリング符号であると見なされる。
【００１３】
スロット同期が最初に得られるステップ４０１をより詳しく見ると、セル探索器２１１は既知の同期コードを受信信号に対してスロット内の全てのチップのオフセット位置で相関を取り、そして相関を取られた指標が各々のチップのオフセット位置でのスロットに渡って積算される。それから、最大の積算値を有する遅延位置が新しいセルからのスロット境界の候補と見なされる。この処理において、セル探索器２１１が既に検出されたセルのスロット・タイミングを見つけないという保証はない。これを回避するために、セル探索器２１１は、既に検出されたセルのパス遅延位置で相関された指標の積算を行わない。この手順は、“パス・マスキング”と呼ばれ、そしてセル探索器２１１の最初のステップでマスクして外すべき遅延位置の集合は“パス・マスク”と呼ばれる。
【００１４】
ＵＳ２００４／０２５９５７６で、タイトルが“移動通信システムでの使用のためのマルチパス伝搬遅延値のフィルタリング”は、ちょうどそのようなパス・マスキング手順を説明している。
【発明の開示】
【発明が解決しようとする課題】
【００１５】
ＵＥが異なるセルから同じタイミングでＳＣＨバーストを受信する状況がありえるため、パス・マスキングは複数セルの環境において問題を生じうる。この状況は次のように分類されることができる。
【００１６】
ケース（Ａ）：複数のＰ−ＳＣＨのオーバラップ
これはＵＥがある場所において同じスロット・タイミングで、２つの異なる基地局から来る２つのＰ−ＳＣＨを受信するケースである。これはマクロ・セル環境において所定の場所で起こりうる。１チップがおおよそ８０メートルに相当するので、ＵＥが２つのＰ−ＳＣＨのオーバラップに遭遇する可能性のある範囲は、それほど大きくないであろう。
【００１７】
ケース（Ｂ）：Ｐ−ＳＣＨおよびＳ−ＳＣＨの両方のオーバラップ
このケースは同じスクランブリング符号群を使用するいくつかのセルがフレーム・タイミングがそろう同じ場所に位置し、ＵＥが同じフレーム・タイミングでＰ−ＳＣＨおよびＳ−ＳＣＨの両方を受信する場合に起こる。これはセル設計が、いくつかのセルが同じ周波数発生器を共有するマイクロおよびピコ・セル環境、および、同じ基地局内のマクロ・セルのように、意図的に設計される場合はしばしば生じうる。そのようなセル・ネットワーク設計を用いると、ＳＣＨからの受信電力は、ＵＥが２つ以上のセルから信号を受信できる範囲内で増大する。その結果、受信可能範囲がそのような範囲内で改善されうる。
【００１８】
しかしながら、上述したように、セル探索器２１１はパス・マスクにより定義される所定のチップ位置では決して探索せず、したがって、常にそのような環境では新しい検出可能なセルを見出さないままで終わるであろう。したがって、ＵＥはそれが移動するにつれてネットワークとの同期を失う可能性が高い。
【００１９】
ケース（Ａ）の状態を軽減するために、パス・マスク生成アルゴリズムを最適化し、マスクして外す遅延位置の数を低減し、そして既知のセルとオーバラップしていると考えられる期間を低減することができる。しかしながら、そのような最適化はパス・マスク管理の複雑さを増大させる。
【００２０】
ケース（Ｂ）の課題を解決するために、パス・マスクを時々停止させ、セル探索手順を既に検出されたセルのパス遅延位置で行うようにすることができる。しかしながら、セル探索器２１１のリソースは、通常パス・マスキングを使用できるようにして標準的な探索のために占有される。このリソースを、パス・マスクを使用できるようにしたセル探索と（時間オーバラップしたセル探索に対する）パス・マスクを無効にしたセル探索との間でタイム・シェアリングすることは、全体のセル探索性能を犠牲にすることなしには難しくそして複雑になるであろう。
【００２１】
したがって時間オーバラップしたセルの探索および／または他の関連課題に対処する方法および装置を提供することが望ましい。
【課題を解決するための手段】
【００２２】
強調したいことは、用語“備える”および“備えている”は、本明細書で使用される場合、記述される特徴、数値、ステップまたは成分の存在を指定していると見られることである；しかしこれらの用語を使用することは１つ以上の他の特徴、数値、ステップ、成分またはそれらのグループの存在または追加を除外するものではない。
【００２３】
本発明の１つの態様に準拠して、前述したおよび他の目的が、スペクトル拡散通信方式におけるセル探索を行う方法および装置で達成される。１つの態様では、このことは、未検出の近隣セルの拡散符号を決定するステップ；および受信信号を未検出の近隣セルのスクランブリング符号を使用して既に検出されたセルのパス遅延位置で逆拡散するステップを含む。
【００２４】
別の態様では、セル探索は、近隣リストをスペクトル拡散通信方式のネットワークから受信するステップ；および未検出の近隣セルを識別するために近隣リストを使用するステップを含む。
【００２５】
さらに別の態様では、パス・マスクされたセル探索手順は並行して行われることができる。いくつかの実施形態では、セル探索器はパス・マスクされたセル探索手順を行うために使用され、そしてパス検出器は受信信号を未検出の近隣セルのスクランブリング符号を使用して既に検出されたセルのパス遅延位置で逆拡散を行うために使用される。
【００２６】
また別の態様では、受信信号を未検出の近隣セルのスクランブリング符号を使用して既に検出したセルのパス遅延位置で逆拡散するステップは、受信信号を未検出の近隣セルのスクランブリング符号を使用して全ての既に検出されたセルのパス遅延位置で逆拡散するステップを備える。
【００２７】
さらに別の態様では、既に検出されたセルのパス遅延位置は既に検出されたセルの既知のスロット・タイミングからのオフセットである。
【００２８】
また別の態様では、既に検出されたセルのパス遅延位置は既に検出されたセルの既知のフレーム・タイミングからのオフセットである。
【００２９】
さらに別の態様では、受信信号を未検出の近隣セルのスクランブリング符号を使用して既に検出されたセルのパス遅延位置で逆拡散するステップは、受信信号を未検出の近隣セルのスクランブリング符号を使用して複数のスロットの各々において既に検出したセルのパス遅延位置で逆拡散することにより、複数の相関結果を生成するステップ；および相関結果を積算するステップを備える。
【発明を実施するための最良の形態】
【００３０】
本発明の目的および効果は以下の図面とともに次の詳細な明細書を読むことにより理解されるであろう。
【００３１】
本発明の様々な特徴が、これから各図を参照して説明されるであろう。図では同様な部分は同一の参照文字で識別されている。
【００３２】
本発明の様々の態様が、これからより詳細にいくつかの典型的な実施形態に関連して説明されるであろう。本発明の理解を容易にするために、本発明の多くの態様が計算機システムの要素またはプログラム化された命令を実行できる他のハードウェアにより行われる一連の動作の観点から説明される。実施形態の各々において、様々な動作が、特殊回路（たとえば特殊な機能を行うように連結された個別ロジックゲート）により、１つ以上のプロセッサにより実行されるプログラム命令により、または両方の組み合わせにより行われることができようということが、認められるであろう。さらに、本発明はその上、任意の形式のコンピュータで読み取り可能な手段、たとえば固体記憶装置、磁気ディスク、光ディスクまたは搬送波（たとえば無線周波数、可聴周波数または光周波数の搬送波）の中に完全に実施されると考えられることができ、それはプロセッサに本明細書に説明されている技術を実施させるであろう適切な計算機命令セットを含む。このように、本発明の様々な態様が多くの異なる形式で実施されることができ、そして全てのそのような形式は本発明の範囲内にあるものと思慮される。本発明の様々な態様の各々に対して、任意のそのような形式の実施形態は、本明細書では説明された動作を行う“ように構成されたロジック”と称され、またはその代わりに、説明された動作を行う“ようなロジック”と称せられる場合がある。
【００３３】
本発明に適合した実施形態の１つの態様で、１つ以上の既知のセルとタイミングがオーバラップする１つ以上のセルを識別する方法および装置が提供される。これは受信信号を未検出の近隣セルのスクランブリング符号で全ての識別されたセルのパス遅延位置で逆拡散することにより達成される。別の態様では、これはセル探索器２１１内よりはむしろパス探索器２０７により行われ、オーバラップ・セルの探索はセル探索器２１１により行われる標準的なセル探索手順と並行して行われることができる。パス探索器２０７の作動はまれで、パス探索器のハードウェア資源のタイム・シェアリングを単純化する。
【００３４】
本発明に従って（たとえばパス探索器２０７において）行われる処理／ステップの典型的な実施形態が、これから、フローチャートを一体となって構成する図５Ａおよび５Ｂを参照して説明されるであろう。この典型的な実施形態では、時間オーバラップセル探索手順において２つの探索モードがある。
（１）フレーム・タイミング探索モード：オーバラップ探索は同じフレーム・タイミングで行われる。
（２）スロット・タイミング探索モード：オーバラップ探索は同じスロット・タイミングで行われる。
フレーム・タイミング探索モードはケース（Ｂ）のみを対象とし、スロット・タイミング探索モードはケース（Ａ）およびケース（Ｂ）の両方を対象にする。動作のモードは、たとえば、ＵＥ内に（たとえばＵＥのメモリ内に保存されたパラメータを設定することにより）プログラム化されることができ、処理の中で適切な瞬間に検証されることができる。他の実施形態では、ＵＥは１つのモードまたはもう一方のモードで排他的に動作するように設計されることができ、動作の２つのモードのいずれが従わされるべきかを示すようにパラメータを設定する必要がなくなる。
【００３５】
初期化の態様では、ＵＥ２００は近隣リストを通信中であるネットワークから受信する（ステップ５０１）。近隣リストはＵＥ２００に、近くの基地局を識別する情報を、各々がどのスクランブリング符号を使用しているかを含めて提供する。時間オーバラップしているセルを識別するために、ＵＥ２００は、近隣リストの中でＵＥ２００によりまだ検出されていないそれらのセルに焦点を合わせるだけでよい。
【００３６】
別の初期化の態様では、ＵＥ２００はセルｃｄｅｔｅｃｔｅｄからのパス遅延位置の中心を示すパラメータτｎｅｘｔを初期化する（ステップ５０３）。ここでｃｄｅｔｅｃｔｅｄはＵＥ２００により既に検出されたセルを示し、τｎｅｘｔ＝｛０，．．．，３８３９９｝である。
【００３７】
次に、ＵＥ２００は、パス探索器のウィンドウの中心がτｎｅｘｔに設定され、マッチド・フィルタがまだ検出されていないセルの集合から選択されたセルｃｎｏｔ＿ｄｅｔｅｃｔｅｄに対する共通パイロット・チャネル（ＣＰＩＣＨ）に基づくようにパス探索器２０７を構成する（ステップ５０５）。
【００３８】
それから、パス探索器２０７はパス遅延位置τｎｅｘｔでいくつかのスロット（たとえば４スロット）にわたって作動される（ステップ５０７）。測定された信号電力はそれから所定の閾値と比較される（判定ブロック５０９）。測定された信号電力が強い（判定ブロック５０９からの“ＹＥＳ”経路）と、手順は終了し（手順５１１）、セルｃｎｏｔ＿ｄｅｔｅｃｔｅｄを新しいセルとして高位レイヤに報告し、そして探索されるべきセル・リストを更新する。
【００３９】
測定された信号電力が強くない（判定ブロック５０９からの“ＮＯ”経路）と、そのときさらに検証が行われる。特に、動作のモードが検証され（判定ブロック５１３）、それがフレーム・タイミング探索モードかスロット・タイミング探索モードのいずれかを決定する。動作の目下のモードがスロット・タイミング探索モードである（判定ブロック５１３からの“ＮＯ”経路）と、複数のスロットが所与のｃｎｏｔ＿ｄｅｔｅｃｔｅｄに対して探索されるであろうし、そして処理はこの目的のためにステップ５１５に進む。しかしながら、動作のモードがフレーム・タイミング探索モードである（判定ブロック５１３からの“ＹＥＳ”経路）と、ｃｎｏｔ＿ｄｅｔｅｃｔｅｄあたり１つのスロットのみが探索され、そして処理はステップ５１９に進む。当然のことながら、ＵＥが動作の２つのモードのうちの１つのみで排他的に動作するように設計されている他の実施形態では、判定ブロック５１３で行われる検証は不要であり、そして処理は対応する一連のステップを常に行うように設計される。
【００４０】
まず、スロット・タイミング探索モードに着目すると、フレーム内のスロット・オフセット位置の全て（たとえば、１５）がこの特定のｃｎｏｔ＿ｄｅｔｅｃｔｅｄに対して探索されているかどうかが決定される（判定ブロック５１５）。”はい”（判定ブロック５１５からの“ＹＥＳ”経路）であると、処理は判定ブロック５１９に進む。
【００４１】
フレーム内のスロット・オフセット位置の全てがまだ検索されていない（判定ブロック５１５からの“ＮＯ”経路）と、パラメータτｎｅｘｔが次の（まだ未検証である）スロット・オフセット位置を示すように更新される（ステップ５１７）。典型的な実施形態では、これはτｎｅｘｔ＝（τｎｅｘｔ＋２５６０）ｍｏｄ３８４００を設定することを意味している。それから処理はステップ５０３に戻ることにより継続し、検証がこの新しいスロット・オフセット位置に対して繰り返される。
【００４２】
現在のモードがフレーム・タイミング探索モード、または、スロット・タイミング探索モードにおいてスロット位置の全てが所与のｃｎｏｔ＿ｄｅｔｅｃｔｅｄに対して検証されている場合、チップ・タイミング（すなわちｃｄｅｔｅｃｔｅｄに対応するチップ・タイミング）で探索されるべき他のセルがあるかどうかが、次に決定される。存在する（判定ブロック５１９からの“ＹＥＳ”経路）場合、変数ｃｎｏｔ＿ｄｅｔｅｃｔｅｄは次のまだ検出されていない近隣セルを示すために（たとえば、まだ検出されていない近隣セルのスクランブリング符号を示すことにより）更新され（ステップ５２１）、そしてステップ５０３に戻ることにより処理が続けられ、検証がこの他のセルに対して行われることができる。
【００４３】
このチップ・タイミングで探索されるべき他のセルがないと決定される（判定ブロック５１９からの“ＮＯ”経路）と、全ての既に検出されたセルの１以上のパス遅延位置が探索されているかどうかが次に決定される（判定ブロック５２３）。”いいえ”（判定ブロック５２３からの“ＮＯ”経路）であると、パラメータｃｄｅｔｅｃｔｅｄが既に検出されたセルの次の１つを示すために更新され（ステップ５２５）、ステップ５０３に戻ることにより処理が続けられ、検証がこの次の既に検出されたセルのパス遅延タイミングで行われる。
【００４４】
検証が全ての識別されたセルのパス遅延タイミングで行われている場合、処理は、オーバラップしているセルが見出されない場合に要求されるどんな手順でも行うことにより完結される（ステップ５２７）。この場合に行われるべき特定の手順はアプリケーション特有のものであり、そしてしたがって本発明の範囲外である。
【００４５】
種々の本発明の態様に従った実施形態は、多くの効果をもたらす。これらのうちの１つは、新規のステップが、ＵＥで既に見出されている処理技術（たとえばパス探索器２０７およびセル探索器２１１）により行われることができるということであり、実施形態は必要以上の処理ハードウェアが追加されることを要求しないで済む。
【００４６】
さらに、本発明を実施には、パス・マスクを導出するために各々のパス位置の追跡を要求しないため、パス・マスクの管理は簡単である。パス探索器２０７のウィンドウ・サイズは、通常単一セルからのパス遅延の広がりよりも広い。パス・マスクが、検出されたセルからの全てのパス遅延を対象とするかぎり、パス探索器２０７は未検出の時間オーバラップセルを見つけることができる。言い換えると、大量のマスキングは、パス探索器のウィンドウがパス・マスクされた範囲より広くさえあれば、全体のセル探索性能を劣化させることはないであろう。
【００４７】
本発明は特定の実施形態に関連して説明されてきた。しかしながら、当業者には、本発明を上述された実施形態のそれら以外の特定の形式で実施することが可能であることは、容易に分かるであろう。
【００４８】
たとえば、上述した典型的な実施形態は、動作の２つの可能なモード（すなわち、フレーム・タイミング探索モードおよびスロット・タイミング探索モード）を１つの手順に組み込んでいた。しかしながら、フレーム・タイミング探索モードのみに専用される他の実施形態が提供されることができ、または他の別の実施形態では、スロット・タイミング探索モードのみに専用される。当業者は、説明された実施形態を容易に適用し、そのような他の別の実施形態を実施できるであろう。
【００４９】
このように、説明された実施形態は単に実現例となるものであり、決して限定するものと考えられるべきではない。本発明の範囲は、上述の明細書ではなくむしろ添付の請求項により与えられ、そして請求項の範囲に収まる全ての変更および同等なものは、中に包含されることを意図されている。
【図面の簡単な説明】
【００５０】
【図１】ＣＤＭＡまたはＷＣＤＭＡ通信システムのような典型的なセルラー方式移動無線通信システムを描いた図である。
【図２】典型的なＷＣＤＭＡ通信システムにおける受信機のブロック図である。
【図３】ＳＣＨの典型的な構造のタイミング図である。
【図４】セル検索手順の典型的な実施形態のフローチャートである。
【図５Ａ】本発明の典型的な実施形態に従って行われる処理／ステップのフローチャートである。
【図５Ｂ】本発明の典型的な実施形態に従って行われる処理／ステップのフローチャートである。
【図１】
2009509433.tif 000003
【図２】
2009509433.tif 000004
【図３】
2009509433.tif 000005
【図４】
2009509433.tif 000006
【図５Ａ】
2009509433.tif 000007
【図５Ｂ】
2009509433.tif 000008
【手続補正書】
【提出日】平成19年7月6日(2007.7.6)
【手続補正１】
【補正対象書類名】明細書
【補正対象項目名】００２０
【補正方法】変更
【補正の内容】
【００２０】
ケース（Ｂ）の課題を解決するために、パス・マスクを時々停止させ、セル探索手順を既に検出されたセルのパス遅延位置で行うようにすることができる。しかしながら、セル探索器２１１のリソースは、通常パス・マスキングを使用できるようにして標準的な探索のために占有される。このリソースを、パス・マスクを使用できるようにしたセル探索と（時間オーバラップしたセル探索に対する）パス・マスクを無効にしたセル探索との間でタイム・シェアリングすることは、全体のセル探索性能を犠牲にすることなしには難しくそして複雑になるであろう。
ＧＢ−Ａ−２３７４２５２は、隣接セルのスクランブリング符号を識別するための方法と装置を開示している。当該技術は、未分類のレイと既分類のレイのスクランブリング符号との相関をとり、未分類のレイに関連するセルが既分類のレイに関連するセルと同一であるか否かを決定している。
ＥＰ１２１５８２７Ａは、相関値プロファイルから自己相関パターンを除去するセル探索の方法を開示している。また、単一の相関値のデータに基づいて拡散タイミングを検出する代わりに、各スロットのスペースの相関値データの平均であるスロット平均化処理を開示しており、それにより、フェージングによるデータ欠落による誤動作を防いでいる。
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
スペクトル拡散通信システムにおいてセル探索を行う方法であって、
未検出の近隣セルの拡散符号（ｃｎｏｔ＿ｄｅｔｅｃｔｅｄ）を決定するステップ（４０５）と、
セル探索器により実行されるセル探索と並行して、パス探索器により既に検出されたセル（ｃｄｅｔｅｃｔｅｄ）のパス遅延位置（τｎｅｘｔ）で前記未検出の近隣セルのスクランブリング符号を使用して受信信号を逆拡散するステップ（５０５；５０７）と、
を備えることを特徴とする方法。
【請求項２】
前記スペクトラム拡散通信システムのネットワークから近隣リスト（５０１）を受信するステップと、
前記未検出の近隣セルを識別するために前記近隣リストを使用するステップと、
を備えることを特徴とする請求項１に記載の方法。
【請求項３】
パス・マスクされたセル探索手順を並行して実行するステップを備えることを特徴とする請求項１に記載の方法。
【請求項４】
前記パス・マスクされたセル探索手順を実行するためにセル探索器（２１１）を使用するステップと、
既に検出されたセルのパス遅延位置で前記未検出の近隣セルのスクランブリング符号を使用して受信信号を逆拡散する前記ステップを実行するためにパス探索器（２０７）を使用するステップと、
を備えることを特徴とする請求項３に記載の方法。
【請求項５】
既に検出されたセルのパス遅延位置で前記未検出の近隣セルのスクランブリング符号を使用して受信信号を逆拡散する前記ステップは、既に検出されたセルの全てのパス遅延位置で前記未検出の近隣セルの前記スクランブリング符号を使用して前記受信信号を逆拡散するステップを備えることを特徴とする請求項１に記載の方法。
【請求項６】
前記既に検出されたセルの前記パス遅延位置は、前記既に検出されたセルの既知のスロット・タイミングからのオフセット（５１７）であることを特徴とする請求項１に記載の方法。
【請求項７】
前記既に検出されたセルの前記パス遅延位置は、前記既に検出されたセルの既知のフレーム・タイミングからのオフセットであることを特徴とする請求項１に記載の方法。
【請求項８】
既に検出されたセルのパス遅延位置で前記未検出の近隣セルのスクランブリング符号を使用して受信信号を逆拡散する前記ステップは、
複数のスロットの各々において前記既に検出されたセルのパス遅延位置で前記未検出の近隣セルの前記スクランブリング符号を使用して前記受信信号を逆拡散することにより複数の相関結果を生成するステップと、
前記相関結果を積算するステップと、
を備えることを特徴とする請求項１に記載の方法。
【請求項９】
スペクトル拡散通信システムにおいてセル探索を行う装置であって、
パス探索器と、
セル探索器と、
未検出の近隣セルの拡散符号（ｃｎｏｔ＿ｄｅｔｅｃｔｅｄ）を決定するように構成されたロジック（４０５）と、
セル探索器により実行されるセル探索と並行して、パス探索器により既に検出されたセル（ｃｄｅｔｅｃｔｅｄ）のパス遅延位置（τｎｅｘｔ）で前記未検出の近隣セルのスクランブリング符号を使用して受信信号を逆拡散するように構成されたロジック（５０５；５０７）と、
を備えることを特徴とする装置。
【請求項１０】
前記スペクトラム拡散通信システムのネットワークから近隣リスト（５０１）を受信するように構成されたロジックと、
前記未検出の近隣セルを識別するために前記近隣リストを使用するように構成されたロジックと、
を備えることを特徴とする請求項９に記載の装置。
【請求項１１】
パス・マスクされたセル探索手順を並行して実行するように構成されたロジックを備えることを特徴とする請求項９に記載の装置。
【請求項１２】
前記パス・マスクされたセル探索手順を実行するためのセル探索器（２１１）と、
既に検出されたセルのパス遅延位置で前記未検出の近隣セルのスクランブリング符号を使用して受信信号を逆拡散するように構成された前記ロジックを備えるパス探索器（２０７）と、
を備えることを特徴とする請求項１１に記載の装置。
【請求項１３】
既に検出されたセルのパス遅延位置で前記未検出の近隣セルのスクランブリング符号を使用して受信信号を逆拡散するように構成された前記ロジックは、既に検出されたセルの全てのパス遅延位置で前記未検出の近隣セルの前記スクランブリング符号を使用して前記受信信号を逆拡散するように構成されたロジックの一部であることを特徴とする請求項９に記載の装置。
【請求項１４】
前記既に検出されたセルの前記パス遅延位置は、前記既に検出されたセルの既知のスロット・タイミングからのオフセット（５１７）であることを特徴とする請求項９に記載の装置。
【請求項１５】
前記既に検出されたセルの前記パス遅延位置は、前記既に検出されたセルの既知のフレーム・タイミングからのオフセットであることを特徴とする請求項９に記載の装置。
【請求項１６】
既に検出されたセルのパス遅延位置で前記未検出の近隣セルのスクランブリング符号を使用して受信信号を逆拡散するように構成された前記ロジックは、
複数のスロットの各々において前記既に検出されたセルのパス遅延位置で前記未検出の近隣セルの前記スクランブリング符号を使用して前記受信信号を逆拡散することにより複数の相関結果を生成するように構成されたロジックと、
前記相関結果を積算するように構成されたロジックと、
を備えることを特徴とする請求項９に記載の装置。
【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
スペクトル拡散通信システムにおいてセル探索を行う方法であって、
未検出の近隣セルの拡散符号（ｃｎｏｔ＿ｄｅｔｅｃｔｅｄ）を決定するステップ（４０５）と、
セル探索器により実行されるパス・マスクされたセル探索手順と並行して、パス探索器により既に検出されたセル（ｃｄｅｔｅｃｔｅｄ）のパス遅延位置（τｎｅｘｔ）で前記未検出の近隣セルのスクランブリング符号を使用して受信信号を逆拡散するステップ（５０５；５０７）と、
を備えることを特徴とする方法。
【請求項２】
前記スペクトラム拡散通信システムのネットワークから近隣リスト（５０１）を受信するステップと、
前記未検出の近隣セルを識別するために前記近隣リストを使用するステップと、
を備えることを特徴とする請求項１に記載の方法。
【請求項３】
前記パス・マスクされたセル探索手順を実行するためにセル探索器（２１１）を使用するステップと、
既に検出されたセルのパス遅延位置で前記未検出の近隣セルのスクランブリング符号を使用して受信信号を逆拡散する前記ステップを実行するためにパス探索器（２０７）を使用するステップと、
を備えることを特徴とする請求項１に記載の方法。
【請求項４】
既に検出されたセルのパス遅延位置で前記未検出の近隣セルのスクランブリング符号を使用して受信信号を逆拡散する前記ステップは、既に検出されたセルの全てのパス遅延位置で前記未検出の近隣セルの前記スクランブリング符号を使用して前記受信信号を逆拡散するステップを備えることを特徴とする請求項１に記載の方法。
【請求項５】
前記既に検出されたセルの前記パス遅延位置は、前記既に検出されたセルの既知のスロット・タイミングからのオフセット（５１７）であることを特徴とする請求項１に記載の方法。
【請求項６】
前記既に検出されたセルの前記パス遅延位置は、前記既に検出されたセルの既知のフレーム・タイミングからのオフセットであることを特徴とする請求項１に記載の方法。
【請求項７】
既に検出されたセルのパス遅延位置で前記未検出の近隣セルのスクランブリング符号を使用して受信信号を逆拡散する前記ステップは、
複数のスロットの各々において前記既に検出されたセルのパス遅延位置で前記未検出の近隣セルの前記スクランブリング符号を使用して前記受信信号を逆拡散することにより複数の相関結果を生成するステップと、
前記相関結果を積算するステップと、
を備えることを特徴とする請求項１に記載の方法。
【請求項８】
スペクトル拡散通信システムにおいてセル探索を行う装置であって、
パス探索器と、
セル探索器と、
未検出の近隣セルの拡散符号（ｃｎｏｔ＿ｄｅｔｅｃｔｅｄ）を決定するように構成されたロジック（４０５）と、
セル探索器により実行されるパス・マスクされたセル探索手順と並行して、パス探索器により既に検出されたセル（ｃｄｅｔｅｃｔｅｄ）のパス遅延位置（τｎｅｘｔ）で前記未検出の近隣セルのスクランブリング符号を使用して受信信号を逆拡散するように構成されたロジック（５０５；５０７）と、
を備えることを特徴とする装置。
【請求項９】
前記スペクトラム拡散通信システムのネットワークから近隣リスト（５０１）を受信するように構成されたロジックと、
前記未検出の近隣セルを識別するために前記近隣リストを使用するように構成されたロジックと、
を備えることを特徴とする請求項８に記載の装置。
【請求項１０】
前記パス・マスクされたセル探索手順を実行するためのセル探索器（２１１）と、
既に検出されたセルのパス遅延位置で前記未検出の近隣セルのスクランブリング符号を使用して受信信号を逆拡散するように構成された前記ロジックを備えるパス探索器（２０７）と、
を備えることを特徴とする請求項８に記載の装置。
【請求項１１】
既に検出されたセルのパス遅延位置で前記未検出の近隣セルのスクランブリング符号を使用して受信信号を逆拡散するように構成された前記ロジックは、既に検出されたセルの全てのパス遅延位置で前記未検出の近隣セルの前記スクランブリング符号を使用して前記受信信号を逆拡散するように構成されたロジックの一部であることを特徴とする請求項８に記載の装置。
【請求項１２】
前記既に検出されたセルの前記パス遅延位置は、前記既に検出されたセルの既知のスロット・タイミングからのオフセット（５１７）であることを特徴とする請求項８に記載の装置。
【請求項１３】
前記既に検出されたセルの前記パス遅延位置は、前記既に検出されたセルの既知のフレーム・タイミングからのオフセットであることを特徴とする請求項８に記載の装置。
【請求項１４】
既に検出されたセルのパス遅延位置で前記未検出の近隣セルのスクランブリング符号を使用して受信信号を逆拡散するように構成された前記ロジックは、
複数のスロットの各々において前記既に検出されたセルのパス遅延位置で前記未検出の近隣セルの前記スクランブリング符号を使用して前記受信信号を逆拡散することにより複数の相関結果を生成するように構成されたロジックと、
前記相関結果を積算するように構成されたロジックと、
を備えることを特徴とする請求項８に記載の装置。
【国際調査報告】
2009509433.tif 000009
2009509433.tif 000010
2009509433.tif 000011